(57)【特許請求の範囲】
【請求項１】
送風機本体と、送風機本体のエア吐出口に設けられるものであって、筒状のコーム基台の先端にコーム部と風を吹き出す開口部とを設けたアタッチメントを備えたヘアーセッターにおいて、前記コーム部の一端側に配列された高さの高いコーム群と他端側に配列された高さの低いコーム群を形成し、前記開口部はコーム部の高さの高いコーム群と高さの低いコーム群との間に設けられたことを特徴とするヘアーセッター。
【請求項２】
高さの高いコームは内部に風が通るように空洞を有し、この高さの高いコームの側面部における高さの低いコーム側に内側送風開口を設けたことを特徴とする請求項１記載のヘアーセッター。
【請求項３】
高さの高いコームは内部に風が通るように空洞を有し、この高さの高いコームの側面部における高さの低いコーム側と反対側に外側送風開口を設けたことを特徴とする請求項１または請求項２記載のヘアーセッター。
【請求項４】
高さの高いコームは内部に風が通るように空洞を有し、この高さの高いコームの側面部における高さの低いコーム側に内側送風開口を設けると共に高さの高いコームの側面部における高さの低いコームと反対側に外側送風開口を設け、内側送風開口が大きいと共に外側送風開口が小さいことを特徴とする請求項１記載のヘアーセッター。
【請求項５】
前記外側送風開口の位置がコームの軸方向において内側送風開口と重なり合う位置関係になっていることを特徴とする請求項４記載のヘアーセッター。
【請求項６】
前記高さの高いコーム群と、高さの低いコーム群とがその突出方向が平行でなく、高さの低いコーム群の突出方向が該高さの低いコーム群の先端側程高さの高いコーム群から離れるように高さの高いコーム群の突出方向に対して鋭角に傾斜していることを特徴とする請求項１記載のヘアーセッター。
【請求項７】
高さの低いコーム群がその角度が可変になるように根元で回動自在にして成ることを特徴とする請求項１記載のヘアーセッター。
【請求項８】
前記高さの低いコーム群の可撓性を、前記高さの高いコーム群より大きくしたことを特徴とする請求項１記載のヘアーセッター。
【請求項９】
高さの低いコーム群を着脱自在にしたことを特徴とする請求項１記載のヘアーセッター。
【発明の詳細な説明】
【０００１】
【発明の属する技術分野】
本発明は、毛髪立ち上げ用のコームで髪の毛を立ち上げると共に送風しながらヘアーセットを行うようにしたヘアーセッターに関するものである。
【０００２】
【従来の技術】
従来、髪の毛のボリュームアップ用のヘアーセッターとしては、図１０に示すようなものがある。温風や冷風を送風する送風機本体１と、送風機本体１のエアー吐出口に装着したアタッチメント２とで主体が構成されている。アタッチメント２は筒状のコーム基台３の先端にコーム部４を設けてあり、このコーム部４には高さの高いコーム５群を設けてある。またこの高さの高いコーム５内には空洞を設けてあり、コーム５に風を吹き出す開口６を設けてある。そしてこのヘアーセッターにて髪の毛のボリュームアップをするにあたっては、コーム５群で髪の毛を立ち上げるように梳きながら開口６から温風のような風を吹き出すことで、髪の毛に立ち上げるセットアップを行うようになっている。
【０００３】
【発明が解決しようとする課題】
上記従来例のヘアーセッターでは高さの高いコーム５群で単に掬い上げるように髪の毛を立ち上げてセットアップするために髪の毛にテンションがかからず、思ったようにボリュームアップできないという問題がある。
髪にハリ、コシのない人にとって、ペタンとなる髪の毛をふんわりとボリュームアップしたいというニーズがある。そこで、ボリュームアップさせることは、根元の方から髪の毛を立たせてやることが必要である。そこで髪の毛を根元から立たせようとした場合、髪の毛の根元にテンションをかけて、そこに温風を当ててやることが効果的である。
【０００４】
本発明は叙述の点に鑑みてなされたものであって、高さの高いコーム群で髪の毛をかき分けると共に高さの低いコーム群にてテンションをかけて髪の毛の根元から立たせ、その中間部に温風のような風を送風することによって髪の毛の根元に温風のような風を与えてセットアップでき、髪の毛をふんわりとボリュームアップできるヘアーセッターを提供することを課題とする。
【０００５】
【課題を解決するための手段】
上記課題を解決するために本発明の請求項１のヘアーセッターは、送風機本体１と、送風機本体１のエア吐出口に設けられるものであって、筒状のコーム基台３の先端にコーム部４と風を吹き出す開口部７とを設けたアタッチメント２を備えたものにおいて、前記コーム部４の一端側に配列された高さの高いコーム５群と他端側に配設された高さの低いコーム８群を形成し、前記開口部７はコーム部４の高さの高いコーム５群と高さの低いコーム８群との間に設けられたことを特徴とする。コーム部４の一端側に配列された高さの高いコーム５群にて髪の毛をかき分けると共に軽く掬い上げ、コーム部４の他端側に配列された高さの低いコーム８群で髪の毛にテンションを加えて根元から立たせてやり、その中間部に開口部７から温風のような風を出すことによって髪の毛の根元に温風のような風を与えてやり、毛髪乾燥と共に髪の毛をふんわりとボリュームアップできる。
【０００６】
また本発明の請求項２のヘアーセッターは、請求項１において、高さの高いコーム５は内部に風が通るように空洞９を有し、この高さの高いコーム５の側面部における高さの低いコーム８側に内側送風開口１０を設けたことを特徴とする。コーム５に内側送風開口１０を設けることによって、コーム５群やコーム８群で髪の毛を掬ったとき、毛髪によってコーム５群とコーム８群との間の開口部７が塞がれ気味になっても、内側送風開口１０から風が出ることによって、開口部７に近くないところの髪の毛を乾かすことができる。
【０００７】
また本発明の請求項３のヘアーセッターは、請求項１または請求項２において、高さの高いコーム５は内部に風が通るように空洞９を有し、この高さの高いコーム５の側面部における高さの低いコーム８側と反対側に外側送風開口１１を設けたことを特徴とする。コーム５に外側送風開口１１を設けることによって、コーム５群やコーム８群で髪の毛を掬ったとき、長い髪などで髪の先端に温風が行きにくいのを補い、高さの高いコーム５にかぶさってきた髪を乾かすことができる。
【０００８】
また本発明の請求項４のヘアーセッターは、請求項１において、高さの高いコーム５は内部に風が通るように空洞９を有し、この高さの高いコーム５の側面部における高さの低いコーム側に内側送風開口１０を設けると共に高さの高いコーム５の側面部における高さの低いコーム８と反対側に外側送風開口１１を設け、内側送風開口１０が大きいと共に外側送風開口１１が小さいことを特徴とする。内側送風開口１０が大きいと共に外側送風開口１１が小さいことにより、流量が一定と考えると、外側送風開口１１から出る風の平均流速の方が早くなる。外側送風開口１１から出る温風のような風の平均流速を上げることにより高さの高いコーム５群にかぶさってきた髪の毛やこの髪の毛の先端をより浮き立たせることができる。
【０００９】
また本発明の請求項５のヘアーセッターは、請求項４において、前記外側送風開口１１の位置がコーム５の軸方向において内側送風開口１０と重なり合う位置関係になっていることを特徴とする。外側送風開口１１の位置と内側送風開口１０の位置とがコーム５の軸方向で重なっていないと、温風のような風が髪の根元にしかあたっていない髪と、髪の先端にしかあたらない髪となり、乾燥がまばらになる。そこで、外側送風開口１１と内側送風開口１０との位置とを重ねることにより、例えば送風開口１０，１１に来る１束の髪の毛に対して考えると、根元、先端を同時に乾燥させ、より立ち上げをアップさせることができる。
【００１０】
また本発明の請求項６のヘアーセッターは、請求項１において、前記高さの高いコーム５群と、高さの低いコーム８群とがその突出方向が平行でなく、高さの低いコーム８群の突出方向が該高さの低いコーム８群の先端側程高さの高いコーム５群から離れるように高さの高いコーム５群の突出方向に対して鋭角に傾斜していることを特徴とする。高さの高いコーム５と高さの低いコーム８が平行である場合、頭頂部付近では髪の毛と高さの低いコーム８とが平行に近い形となり、高さの低いコーム８に髪の毛が入って行かない。そこで、高さの低いコーム８群の突出方向を該高さの低いコーム８群の先端側程高さの高いコーム５群から離れるように傾斜させることにより高さの低いコーム８が髪の毛を捕らえやすくなり、頭頂部付近も立ち上げ効果を上げることができる。
【００１１】
また本発明の請求項７のヘアーセッターは、請求項１において、高さの低いコーム８群がその角度が可変になるように根元で回動自在にして成ることを特徴とする。高さの低いコーム８を根元で回動してコーム８の角度を可変することができることにより、高さの低いコーム８の角度を個人差や使い勝手によって任意に変えることができ、使用に対してフィットする形、例えば高さの低いコーム８の傾斜角度を大きくすることにより髪の毛にテンションをかけると同時に高さの低いコームの先端で頭の地肌にマッサージしたりできる。
【００１２】
また本発明の請求項８のヘアーセッターは、請求項１において、前記高さの低いコーム８群の可撓性を、前記高さの高いコーム５群より大きくしたことを特徴とする。高さの低いコーム８群の可撓性を、前記高さの高いコーム５群より大きくしたことにより、髪の毛に対して摩擦係数がアップし、よりテンションを髪の毛に加えることができ、髪の毛の立ち上げ効果を上げることができる。
【００１３】
また本発明の請求項９のヘアーセッターは、請求項１において、高さの低いコーム８群を着脱自在にしたことを特徴とする。パーマヘアーやウェーブヘアーの使用者に対しては、高さの低いコーム８群が密であるために髪の毛に対して絡み、引っ掛かりを誘発してしまうおそれがある。そこで高さの低いコーム８群を着脱自在とすることで、短いコーム８群を必要としない使用者に対しても使用することができ、また高さの高いコーム５群が整配列しているため、パーマヘアーやウェーブヘアーだと、髪に対してテンションをかけることができる。
【００１４】
【発明の実施の形態】
図１０に示す送風機本体１のエアー吐出口に接続して取り付けるアタッチメント２は図１乃至図３に示すように構成されている。アタッチメント２は筒状のコーム基台３の先端部にコーム部４を設けると共にコーム部４に開口部７を設けて形成されている。コーム基台３は基端部の軸方向と先端部の軸方向とが同方向になるようにしてあっても、異方向となるようにして彎曲させてあってもよい。コーム基台３の先端にコーム部４の基板４ａを取り付ける場合、基板４ａのフック固定リブ１３とコーム基台３のフック１４とを係止し、ネジ１５を螺合している。コーム基台３の内面には複数の整流片１６を設けてあり、適宜の整流片１６の上端に上記フック１４を設けてある。コーム部４の一端側に高さの高いコーム５を配列してコーム５群を形成してある。本例の場合、高さの高いコーム５を１列に整列させて配置してある。コーム部４の他端側には高さの低いコーム８を配列してコーム８群を形成してある。本例の場合、高さの低いコーム８群が複数列に設けてあり、また高さの低いコーム８群が高さの高いコーム５群より密になるように設けてある。本例の場合、コーム８群が台部１７に一体に設けてあり、台部１７が基板４ａの切り欠き部１８に台部１７のフック１９を係止することでコーム部４の基板４ａに固定してある。またコーム部４の基板４ａにはコーム５群とコーム８群との間の位置で送風用の開口部７を設けてある。コーム部４の基板４ａの他端側が頭部当接部２０となっていているが、この頭部当接部２０と反対側でも基板４ａに送風用の開口部２１を設けてある。そしてヘアーセッターの本体である送風機本体１から開口部７，２１に温風のような風が送られるようになっている。またコーム部４の高さの高いコーム５の内部は空洞９を有しており、ヘアーセッターの本体である送風機本体１から空洞９内に温風のような風が送られるようになっている。
【００１５】
高さの高いコーム５の側面部の高さの低いコーム８側には内側送風開口１０を設けてあり、空洞９内と連通させてある。この内側送風開口１０は少なくとも１本のコーム５に少なくとも１個以上設けてある。また高さの高いコーム５の側面部の高さの低いコーム７と反対側には外側送風開口１１を設けてあり、空洞９内と連通させてある。この外側送風開口１１は少なくとも１本のコーム５に少なくとも１個以上設けてある。
【００１６】
しかしてヘアーセッターにてセットする場合、頭部当接部２０を人体の頭部に当接して頭部に沿ってスライドさせ、コーム部４の一端側に配列された高さの高いコーム５群にて髪の毛をかき分けると共に軽く掬い上げ、コーム部４の他端側に配列されたコーム８群で髪の毛にテンションを加えて根元から立たせてやり、その中間部に開口部７から温風のような風を出すことによって髪の毛の根元に温風のような風を与えてやり、毛髪乾燥と共に髪の毛をふんわりとボリュームアップする。このとき、開口部７から温風のような風を吹き出すのみならず、開口部２１からも温風のような風を吹き出すことで高さの高いコーム５でかき分けた髪の毛に風を十分に当てることができる。
【００１７】
また本例の場合、高さの高いコーム５の側面部における高さの低いコーム８側に内側送風開口１０を設けており、コーム５に内側送風開口１０を設けることによって、コーム５群やコーム８群で髪の毛を掬ったとき、毛髪によってコーム５群とコーム８群との間の開口部７が塞がれ気味になっても、内側送風開口１０から風が出ることによって、開口部７に近くないところの髪の毛を乾かすことができる。また本例の場合、この高さの高いコーム５の側面部における高さの低いコーム８側と反対側に外側送風開口１１を設けるものであり、コーム５に外側送風開口１１を設けることによって、コーム５群やコーム８群で髪の毛を掬ったとき、長い髪などで髪の先端に温風が行きにくいのを補い、高さの高いコーム５にかぶさってきた髪を乾かすことができる。
【００１８】
また内側送風開口１０が図１（ｂ）に示すように上下に長い長孔状になっていて開口面積が大きいと共に外側送風開口１１が上下に短くて開口面積が小さくなっている。内側送風開口１０が大きいと共に外側送風開口１１が小さいことにより、流量が一定と考えると、外側送風開口１１から出る風の平均流速の方が早くなる。外側送風開口１１から出る温風のような風の平均流速を上げることにより高さの高いコーム５群にかぶさってきた髪の毛やこの髪の毛の先端をより浮き立たせることができる。
【００１９】
また、前記外側送風開口１１の位置がコーム５の軸方向において内側送風開口１０と重なり合う位置関係になっている。外側送風開口１１の位置と内側送風開口１０の位置とがコーム５の軸方向で重なっていないと、温風のような風が髪の根元に方しかあたっていない髪と、髪の先端にしかあたらない髪となり、乾燥がまばらになる。そこで、外側送風開口１１と内側送風開口１０との位置とを重ねることにより、例えば送風開口１０，１１に来る１束の髪の毛に対して考えると、根元、先端を同時に乾燥させ、より立ち上げをアップさせることができる。本例の場合、外側送風開口１１の位置と内側送風開口１０の位置とがこれらの上端の位置を基準に揃えて重なっているが、内側送風開口１０と外側送風開口１１とはどのような状態で重なりあってもよい。
【００２０】
また高さの高いコーム５群と、高さの低いコーム８群とがその突出方向が平行でなく、高さの低いコーム８群の突出方向が該高さの低いコーム８群の先端側程高さの高いコーム５群から離れるように高さの高いコーム５群の突出方向に対して鋭角に傾斜している。つまり、図１に示すθの角度が鋭角になっている。高さの高いコーム５と高さの低いコーム８とが平行に近い場合、図５（ａ）に示すように頭頂部２２付近では髪の毛２３と高さの低いコーム８とが平行に近い形となり、高さの低いコーム８に髪の毛２３が入って行かない。そこで、高さの低いコーム８群の突出方向を該高さの低いコーム８群の先端側程高さの高いコーム５群から離れるように傾斜させることにより図５（ｂ）のように高さの低いコーム８が髪の毛２３を捕らえやすくなり、頭頂部２２付近も立ち上げ効果を上げることができる。
【００２１】
また本例の場合、高さの低いコーム８群の可撓性を、前記高さの高いコーム５群より大きくしてある。高さの低いコーム８の材料物性をエラストマー系のような弾性を有する材料、高さの高いコーム５の材料物性をＰＢＴ系やＰＣ系のような熱可塑性樹脂とし、高さの低いコーム８の可撓性（弾性）が高さの高いコーム５より大となる構成にしている。高さの低いコーム８群の可撓性を、前記高さの高いコーム５群より大きくしたことにより、髪の毛に対して摩擦係数がアップし、よりテンションを髪の毛に加えることができ、髪の毛の立ち上げ効果を上げることができる。なお、高さの高いコーム５の材料物性を弾性に有するものとし、高さの低いコーム８の材料物性を高さの高いコーム５の材料物性と同じにしてもよい。
【００２２】
また図６、図７は他の例を示す。コーム部４の基台４ａは略馬蹄形になっており、両側の側片４ｂ間に架設するようにコーム８群を有する台部１７を配置してあり、この台部１７が回転自在に装着してある。台部１７の両端には軸部２５を設けてあり、側片４ｂの内面に設けた軸孔２６に軸部２５を回転自在に嵌合することで台部１７を回転自在に装着してある。台部１７の端面には軸部２５の周りで係止突起２７を設けてあり、側片４ｂの内面には軸孔２６の周りで複数個の係止凹部２８を設けてあり、係止突起２７と適宜の係止凹部２８に係止し得るようになっている。しかして高さの低いコーム８群を有する台部１７にラジアル荷重を加えることで係止突起２７と係止凹部２８の係止を係脱でき、係止突起２７と適宜の係止凹部２８とを係止してコーム８群の角度をその根元で自在に変えることができる。高さの低いコーム８を根元で回動してコーム８の角度を可変することができることにより、高さの低いコーム８の角度を個人差や使い勝手によって任意に変えることができ、使用に対してフィットする形、例えば高さの低いコーム８の傾斜角度を大きくすることにより髪の毛にテンションをかけると同時に高さの低いコーム８の先端で頭の地肌にマッサージしたりできる。
【００２３】
また図８、図９は他の例を示す。本例の場合、高さの低いコーム８群を有する台部１７に圧入片３０を設けてあり、コーム部４の基台４ａに圧入孔部３１を設けてあり、圧入片３０を圧入孔部３１に圧入することでコーム８を有する台部１７を着脱自在に取り付けてある。パーマヘアーやウェーブヘアーの使用者に対しては、高さの低いコーム８群が密であるために髪の毛に対して絡み、引っ掛かりを誘発してしまうおそれがある。そこで高さの低いコーム８群を着脱自在とすることで、高さの低いコーム８群を必要としない使用者に対しても使用することができ、また高さの高いコーム５が整配列しているため、パーマヘアーやウェーブヘアーだと、髪に対してテンションをかけることができる。
【００２４】
【発明の効果】
本発明の請求項１の発明は、叙述の如くコーム部に一端側に配列された高さの高いコーム群と他端側に配列された高さの低いコーム群を形成し、開口部はコーム部の高さの高いコーム群と高さの低いコーム群との間に設けられたので、高さの高いコーム群にて髪の毛をかき分けると共に軽く掬い上げ、高さの低いコーム群で髪の毛にテンションを加えて根元から立たせてやり、その中間部に開口部から温風のような風を出すことによって髪の毛の根元に温風のような風を与えてやり、毛髪乾燥と共に髪の毛をふんわりとボリュームアップできるものである。
【００２５】
また本発明の請求項２の発明は、請求項１において、高さの高いコームは内部に風が通るように空洞を有し、この高さの高いコームの側面部における高さの低いコーム側に内側送風開口を設けたので、コーム群で髪の毛を掬ったとき、毛髪によって高さの高いコーム群と高さの低いコーム群との間の開口部が塞がれ気味になっても、内側送風開口から風が出ることによって、開口部に近くないところの髪の毛を乾かすことができるものである。
【００２６】
また本発明の請求項３の発明は、請求項１または請求項２において、高さの高いコームは内部に風が通るように空洞を有し、この高さの高いコームの側面部における高さの低いコーム側と反対側に外側送風開口を設けたので、コーム群で髪の毛を掬ったとき、長い髪などで髪の先端に温風が行きにくいのを補い、高さの高いコームにかぶさってきた髪を乾かすことができるものである。
【００２７】
また本発明の請求項４の発明は、請求項１において、高さの高いコームは内部に風が通るように空洞を有し、この高さの高いコームの側面部における高さの低いコーム側に内側送風開口を設けると共に高さの高いコームの側面部における高さの低いコームと反対側に外側送風開口を設け、内側送風開口が大きいと共に外側送風開口が小さいので、外側送風開口から出る温風のような風の平均流速を上げることにより高さの高いコーム群にかぶさってきた髪の毛やこの髪の毛の先端をより浮き立たせることができるものである。
【００２８】
また本発明の請求項５の発明は、請求項４において、外側送風開口の位置がコームの軸方向において内側送風開口と重なり合う位置関係になっているので、髪の毛の根元、先端を同時に乾燥させ、より立ち上げをアップさせることができるものである。
また本発明の請求項６の発明は、請求項１において、高さの高いコーム群と、高さの低いコーム群とがその突出方向が平行でなく、高さの低いコーム群の突出方向が該高さの低いコーム群の先端側程高さの高いコーム群から離れるように高さの高いコーム群の突出方向に対して鋭角に傾斜しているので、頭頂部付近でも高さの低いコームが髪の毛を捕らえやすくなり、頭頂部付近も立ち上げ効果を上げることができるものである。
【００２９】
また本発明の請求項７の発明は、請求項１において、高さの低いコーム群がその角度が可変になるように根元で回動自在にしているので、高さの低いコームの角度を可変することができ、高さの低いコームの角度を個人差や使い勝手によって任意に変えることができるものである。
また本発明の請求項８の発明は、請求項１において、高さの低いコーム群の可撓性を、高さの高いコーム群より大きくしたので、髪の毛に対して摩擦係数がアップし、よりテンションを髪の毛に加えることができ、髪の毛の立ち上げ効果を上げることができるものである。
【００３０】
また本発明の請求項９の発明は、請求項１において、高さの低いコーム群を着脱自在にしたので、高さの低いコーム群を装着した状態でも外した状態でも使用できて便利に使用できるものである。
【図面の簡単な説明】
【図１】（ａ）は本発明の実施の形態の一例の断面図、（ｂ）は（ａ）の内側送風開口を示す正面図、（ｃ）は（ａ）の外側送風開口を示す正面図である。
【図２】同上の全体を示す斜視図である。
【図３】同上の分解斜視図である。
【図４】図３のＡ方向矢視図である。
【図５】（ａ）（ｂ）は同上の動作を説明する説明図である。
【図６】同上の他例の要部の分解斜視図である。
【図７】同上の組み立て状態の断面図である。
【図８】同上の他例の要部の分解斜視図である。
【図９】同上の組み立て状態の断面図である。
【図１０】従来例を示す斜視図である。
【符号の説明】
１  送風機本体
２  アタッチメント
３  コーム基台
４  コーム部
５  高さの高いコーム
７  開口部
８  高さの低いコーム
９  空洞
１０  内側送風開口
１１  外側送風開口
【図１】
0003852511.tif 000002
【図２】
0003852511.tif 000003
【図３】
0003852511.tif 000004
【図４】
0003852511.tif 000005
【図５】
0003852511.tif 000006
【図６】
0003852511.tif 000007
【図７】
0003852511.tif 000008
【図８】
0003852511.tif 000009
【図９】
0003852511.tif 000010
【図１０】
0003852511.tif 000011